(57)【要約】      （修正有）【課題】羽根の先端側の間隔をロープに取り付けられた海産物塊の間隔に合わせることで、確実に海産物を回収することができる海産物回収用ドラムを提供する。【解決手段】回転可能に設置されたドラム本体１１と、上記ドラム本体１１に周方向に等間隔で配置された羽根１５と、を具備し、海産物６が付着した紐体９を回収する海産物回収用ドラム３において、上記羽根１５は上記ドラム本体１１に固着された固定羽根と上記固定羽根に対して放射方向に移動可能に設置された可動羽根１９とから構成されていることを特徴とするもの。【選択図】図３
2020202780.tif 000002
【特許請求の範囲】
【請求項１】
回転可能に設置されたドラム本体と、
上記ドラム本体に周方向に等間隔で配置された羽根と、
を具備し、
海産物が付着した紐体を回収する海産物回収用ドラムにおいて、
上記羽根は上記ドラム本体に固着された固定羽根と上記固定羽根に対して放射方向に移動可能に設置された可動羽根とから構成されていることを特徴とする海産物回収用ドラム。
【請求項２】
請求項１記載の海産物回収用ドラムにおいて、
上記羽根の幅方向中央には上記紐体が嵌る溝が設けられていることを特徴とする海産物回収用ドラム。
【請求項３】
請求項１又は請求項２記載の海産物回収用ドラムにおいて、
上記可動羽根の先端側には回収方向に湾曲され上記海産物を掬い上げる海産物掬上部が設けられていることを特徴とする海産物回収用ドラム。
【請求項４】
請求項１〜請求項３の何れかに記載の海産物回収用ドラムにおいて、
上記可動羽根の基端側には上記海産物を保持する海産物保持突起が設けられていることを特徴とする海産物回収用ドラム。
【請求項５】
請求項１〜請求項４の何れかに記載された海産物回収用ドラムにおいて、
上記固定羽根と上記可動羽根には貫通孔が形成されていて、上記可動羽根はそれら貫通孔にボルトを通してナットを螺合することにより上記固定羽根に固定されていて、上記貫通孔の何れかは長穴になっていてその長孔の範囲内で上記可動羽根を放射方向に移動させることができることを特徴とする海産物回収用ドラム。
【請求項６】
請求項４記載の海産物回収用ドラムにおいて、
上記海産物保持突起は回収時の荷重の作用によって上記海産物を塊の状態からバラバラの状態にするものであることを特徴とする海産物回収用ドラム。
【発明の詳細な説明】
【技術分野】
【０００１】
本発明は、例えば、紐体に付着した養殖牡蠣等の海産物を回収する際に用いる海産物回収用ドラムに係り、特に、ドラム本体に取り付けられた羽根を固定羽根と可動羽根から構成し、ロープに取り付けられた海産物塊のピッチに応じて可動羽根の位置を調整し、海産物を海に落下させることなく確実に回収することができるように工夫したものに関する。
【背景技術】
【０００２】
海産物回収装置の構成を開示するものとして、例えば、特許文献１や特許文献２がある。
特許文献１に記載された海産物回収装置には回転軸によって接続された円盤状の２枚のフランジがあり、これらフランジ間に複数の羽根体が設置されている。上記羽根体の先端側は回転方向に折り曲げられている。
上記羽根体の中央には凹部が形成されていて、この凹部の幅方向両側にはローラが回転可能に設置されている。上記凹部内に所定間隔で海産物塊が付着されたロープが配置される。
【０００３】
上記ロープを引くと上記海産物回収装置が回転され、上記海産物塊は上記羽根体と羽根体の間のポケット内に配置される。これにより、上記海産物塊の海への落下を防止し効率よく上記海産物塊を回収するようにしている。
【０００４】
また、特許文献２に記載された索の引上げ装置は、例えば、船の上に設置され、モータにより回転されるドラムがある。上記ドラムの軸方向両端にはフランジ部が取り付けられている。上記ドラムには複数組の板材対が周方向に等間隔で設置されている。上記板材対の一対の板材は上記ドラムの幅方向中央側に隙間を設けた状態で設置されている。
【０００５】
上記板材対の一方の板材はボルト・ナットによって上記ドラムに取り付けられたブラケットに固定されている。上記板材のボルト貫通部は長孔になっていて、そして、上記ボルトとナットを緩めることにより上記板材を上記ドラムの幅方向に移動させることができる。それによって、上記一対の板材間の距離を調製する。
【０００６】
また、他方の板材は、上記ドラムに取り付けられた別のブラケットに軸を介して回動可能に設置されており、上記ドラムの幅方向中央側の端にはアームが固着されていて、上記ドラムの幅方向外周側の端はばねにより上記ドラムの中心側に引っ張られている。また、上記アームの先端側は上記ドラムの外周側に向けて湾曲されている。
【０００７】
牡蠣の採苗器が所定の間隔で取り付けられたロープを巻き上げて上記採苗器に付着した牡蠣を回収する際、上記ロープは上記一対の板材間に配置されるとともに上記アーム上に載置される。また、上記採苗器に付着した牡蠣は上記板材上に載置されて上記ロープの巻上により上記船の上まで移動され、その後上記牡蠣が回収される。
【先行技術文献】
【特許文献】
【０００８】
【特許文献１】特開２０１７−７０２７５公報
【特許文献２】実公平３−２３０７２公報
【発明の概要】
【発明が解決しようとする課題】
【０００９】
上記従来の構成によると次のような問題があった。
まず、特許文献１に記載された発明の場合には、ロープに付着している海産物塊のピッチと羽根体のピッチが一致している場合には、ロープの巻き上げにより海産物塊が羽根体と羽根体の間に位置することになるので、海産物塊を海に落下させることなく回収することができる。これに対して、ロープに付着している海産物塊のピッチと羽根体のピッチが一致していない場合には、海産物塊が羽根体の先端に当たってしまうようなことがあり、その際、海産物塊がばはらばらになってしまって海に落下してしまうという問題があった。
これは特許文献２に記載された発明の場合も同じであり、索に取り付けられた吊支索のピッチと板材対のピッチが一致していない場合には、被吊支物が板材対に当たってしまい海に落下してしまう恐れがあった。
【００１０】
本発明は、このような点に基づいてなされたもので、その目的とするところは、海産物を海に落下させることなく確実に回収することができる海産物回収用ドラムを提供することにある。
【課題を解決するための手段】
【００１１】
上記課題を解決するべく請求項１に記載された海産物回収用ドラムは、回転可能に設置されたドラム本体と、上記ドラム本体に周方向に等間隔で配置された羽根と、を具備し、海産物が付着した紐体を回収する海産物回収用ドラムにおいて、上記羽根は上記ドラム本体に固着された固定羽根と上記固定羽根に対して放射方向に移動可能に設置された可動羽根とから構成されていることを特徴とするものである。
また、請求項２に記載された海産物回収用ドラムは、請求項１記載の海産物回収用ドラムにおいて、上記羽根の幅方向中央には上記紐体が嵌る溝が設けられていることを特徴とするものである。
また、請求項３に記載された海産物回収用ドラムは、請求項１又は請求項２記載の海産物回収用ドラムにおいて、上記可動羽根の先端側には回収方向に湾曲され上記海産物を掬い上げる海産物掬上部が設けられていることを特徴とするものである。
また、請求項４に記載された海産物回収用ドラムは、請求項１〜請求項３の何れかに記載の海産物回収用ドラムにおいて、上記可動羽根の基端側には上記海産物を保持する海産物保持突起が設けられていることを特徴とするものである。
また、請求項５に記載された海産物回収用ドラムは、請求項１〜請求項４の何れかに記載された海産物回収用ドラムにおいて、上記固定羽根と上記可動羽根には貫通孔が形成されていて、上記可動羽根はそれら貫通孔にボルトを通してナットを螺合することにより上記固定羽根に固定されていて、上記貫通孔の何れかは長穴になっていてその長孔の範囲内で上記可動羽根を放射方向に移動させることができることを特徴とするものである。
また、請求項６に記載された海産物回収用ドラムは、請求項４記載の海産物回収用ドラムにおいて、上記海産物保持突起は回収時の荷重の作用によって上記海産物を塊の状態からバラバラの状態にするものであることを特徴とするものである。
【発明の効果】
【００１２】
以上述べたように、請求項１記載の海産物回収用ドラムによると、回転可能に設置されたドラム本体と、上記ドラム本体に周方向に等間隔で配置された羽根と、を具備し、海産物が付着した紐体を回収する海産物回収用ドラムにおいて、上記羽根は上記ドラム本体に固着された固定羽根と上記固定羽根に対して放射方向に移動可能に設置された可動羽根とから構成されているため、上記羽根同士の先端側間の距離を上記紐体に付着した上記海産物の間隔に合わせることができ、上記羽根で確実に上記紐体に付着した上記海産物を掬い上げて回収することができる。
また、請求項２に記載された海産物回収用ドラムによると、請求項１記載の海産物回収用ドラムにおいて、上記羽根の幅方向中央には上記紐体が嵌る溝が設けられているため、上記海産物を上記海産物回収用ドラムによって保持する際に上記紐体が邪魔にならず、上記海産物を確実に保持することができる。
また、請求項３に記載された海産物回収用ドラムによると、請求項１又は請求項２記載の海産物回収用ドラムにおいて、上記可動羽根の先端側には回収方向に湾曲され上記海産物を掬い上げる海産物掬上部が設けられているため、上記海産物を確実に掬い上げることができる。
また、請求項４に記載された海産物回収用ドラムによると、請求項１〜請求項３の何れかに記載の海産物回収用ドラムにおいて、上記可動羽根の基端側には上記海産物を保持する海産物保持突起が設けられているため、上記海産物を確実に保持して掬い上げることができるとともに、上記海産物が上記海産物回収用ドラムの上側に来た時に上記突起によって上記海産物を崩壊させることで確実に海産物を回収することができる。
また、請求項５に記載された海産物回収用ドラムによると、請求項１〜請求項４の何れかに記載された海産物回収用ドラムにおいて、上記固定羽根と上記可動羽根には貫通孔が形成されていて、上記可動羽根はそれら貫通孔にボルトを通してナットを螺合することにより上記固定羽根に固定されていて、上記貫通孔の何れかは長穴になっていてその長孔の範囲内で上記可動羽根を放射方向に移動させることができるため、簡易な構成により、上記羽根同士の先端側間の距離を上記紐体に付着した上記海産物の間隔に合わせることができる。
また、請求項６に記載された海産物回収用ドラムによると、請求項４記載の海産物回収用ドラムにおいて、上記海産物保持突起は回収時の荷重の作用によって上記海産物を塊の状態からバラバラの状態にするため、上記海産物を確実に回収することができる。
【図面の簡単な説明】
【００１３】
【図１】本発明の第１の実施の形態を示す図で、海産物回収装置を示す斜視図である。
【図２】本発明の第１の実施の形態を示す図で、海産物回収装置の正面図である。
【図３】本発明の第１の実施の形態を示す図で、図２のＩＩＩ−ＩＩＩ断面図である。
【図４】本発明の第１の実施の形態を示す図で、図４（ａ）は海産物回収用ドラムの羽根を正面側から視た斜視図、図４（ｂ）は海産物回収用ドラムの羽根を背面側から視た斜視図である。
【図５】本発明の第１の実施の形態を示す図で、海産物回収用ドラムの羽根の可動羽根を放射方向外方に移動させた状態を示す海産物回収装置の斜視図である。
【図６】本発明の第１の実施の形態を示す図で、海産物回収用ドラムの羽根の可動羽根を放射方向外方に移動させた状態を示す海産物回収用ドラムの横断面図である。
【図７】本発明の第２の実施の形態を示す図で、海産物回収装置の側面図である。
【発明を実施するための形態】
【００１４】
以下、図１乃至図６を参照して本発明の第１の実施の形態について説明する。
この実施の形態における海産物回収装置１は、図１、図２に示すように、海産物回収用ドラム３と上記海産物回収用ドラム３を回転・駆動させる油圧モータ５とから構成されている。上記海産物回収装置１は、図３に示すように、例えば、漁船４の縁に設置されていて、上記油圧モータ５を駆動することにより上記海産物回収用ドラム３を回転させ、養殖牡蠣等の海産物６が集合した海産物塊７が所定の間隔で付着されたロープ９を上記漁船４上に回収する。
なお、図３中右側には図示しない作業者がいて、上記ロープ９を適宜引っ張ることにより上記海産物回収用ドラム３の空回りを防止する。
【００１５】
図１に示すように、上記海産物回収装置１には一対の脚部８、８があり、これら脚部８、８には図示しない軸受が設置されている。一方、上記海産物回収用ドラム３の両端には回転軸１０、１０が固着されている。上記海産物回収用ドラム３は上記回転軸１０、１０、上記図示しない軸受を介して上記脚部８、８に軸支されている。
【００１６】
上記一方の回転軸１０にはタイミングプーリ１２ａが固着されているとともに、上記油圧モータ５の出力軸にはタイミングプーリ１２ｂが固着されていて、上記タイミングプーリ１２ａ、１２ｂにはタイミングベルト１２ｃが巻回されている。上記油圧モータ５が回転することによりタイミングプーリ１２ａ、１２ｂ、タイミングベルト１２ｃを介して上記海産物回収用ドラム３が図１中時計方向に回転する。
【００１７】
上記海産物回収用ドラム３は、図１、図３に示すように、円筒形状のドラム本体１１とこのドラム本体１１の左右両端に設けられたフランジ１３、１３とから構成されている。上記ドラム本体１１の外周面には、複数個（この第１の実施の形態の場合には４個）の羽根１５が周方向に等間隔で配置されている。
【００１８】
上記羽根１５は、図３、図４に示すように、上記ドラム本体１１に固定された固定羽根１７と上記固定羽根１７に対して放射方向に移動可能に設置された可動羽根１９とから構成されている。上記固定羽根１７には複数個（この第１の実施の形態の場合には４個）の長孔２１が形成されていて、上記可動羽根１９には上記長孔２１に対応する図示しない貫通孔が形成されている。上記可動羽根１９は、ボルト２５を上記貫通孔と上記長孔２１を通してナット２３を螺合することにより、上記固定羽根１７に固定されている。
【００１９】
上記可動羽根１９は上記長孔２１の範囲内で上記固定羽根１７に対して放射方向に移動可能な構成になっている。例えば、ロープ９における海産物塊７の付着ピッチ（海産物塊７と海産物塊７の間隔）が小さい場合には、図１〜図３に示すように、可動羽根１９を放射方向内方に移動・固定させる。これに対して、ロープ９における海産物塊７の付着ピッチ（海産物塊７と海産物塊７の間隔）が大きい場合には、図５に示すように、可動羽根１９を放射方向外方に移動・固定させる。それによって、回収時に海産物塊７が可動羽根１９に対して適切な位置にくるように調整する。
なお、通常は同じ養殖場であれば海産物塊７の付着ピッチは同一されているので一回調整すれば済む。
【００２０】
また、図３に示すように、上記可動羽根１９の先端部は回収方向（図３中右方向）に向けて湾曲形成されていて海産物掬上部２７となっている。この海産物掬上部２７によって海産物塊７を掬い上げて回収する。
なお、海産物塊７の可動羽根１９に対する適切な位置であるが、図３に示すように、海産物塊７が可動羽根１９の海産物掬上部２７によって掬い上げられるような位置である。
【００２１】
また、上記可動羽根１９の回収方向側の面（図３中右側の面）の基端側（図３中下側）には一対の海産物保持突起３１、３１が設けられている。上記海産物掬上部２７によって掬い上げられた海産物塊７はこれら海産物保持突起３１、３１によって保持される。また、図３に示すように、海産物塊７が真上にきてその荷重か上記海産物保持突起３１、３１に作用する状態になると、上記海産物塊７が上記海産物保持突起３１、３１によって崩壊され海産物６を回収することができる。
【００２２】
また、上記可動羽根１９の上記海産物保持突起３１、３１間には溝３３が形成されていて、上記固定羽根１７にも上記溝３３に対応する溝３５が形成されている。上記ロープ９は、図３に示すように、上記溝３３、３５内に配置される。
【００２３】
次に、この第１の実施の形態による海産物巻揚装置１の作用について説明する。
海産物塊７が付着したロープ９を図示しない作業者が図３中右側から引っ張るとともに油圧モータ５により海産物回収用ドラム３を回転・駆動させる。それによって、海産物塊７が所定のピッチで付着したロープ９が順次回収されていく。その際、ロープ９は可動羽根１９の溝３３と固定羽根１７の溝３５内を通って回収される。また、海産物塊７は各可動羽根１９の海産物掬上部２７によって掬い上げられていく。
【００２４】
上記羽根１５に掬い上げられた上記海産物塊７は図３中右側に移動され、上記海産物回収用ドラム３の図３中上側に移動される。このとき、上記海産物塊７の荷重が海産物保持突起３１、３１に作用し、それによって、海産物塊７が崩壊し上記海産物塊７を構成していた海産物６がバラバラになって漁船４上に回収される。
なお、バラバラにならずにロープ９に付着したままの海産物６はロープ９ととともに漁船４上に回収される。
【００２５】
次に、可動羽根１９の固定羽根１７に対する放射方向位置の調整について説明する。可動羽根１９の固定羽根１７に対する放射方向位置を調整することにより、隣接する可動羽根１９、１９の先端間距離を調整することができる。
例えば、ロープ９における海産物塊７の付着ピッチ（海産物塊７と海産物塊７の間隔）が小さい場合には、可動羽根１９を放射方向内方に移動させる。これに対して、ロープ９における海産物塊７の付着ピッチ（海産物塊７と海産物塊７の間隔）が大きい場合には、可動羽根１９を放射方向外方に移動させる。それによって、海産物塊７を可動羽根１９の海産物掬上部２７によって掬い上げられるような場所に位置させる。
なお、通常は同じ養殖場であれば海産物塊７の付着ピッチは同一されているので一回調整すれば済む。
【００２６】
因みに、上記可動羽根１９、１９の先端間の距離がロープ９における海産物塊７の付着ピッチ（海産物塊７と海産物塊７の間隔）に対応していないと、上記可動羽根１９の海産物掬上部２７によって上記海産物塊７を掬い上げることができず、例えば、上記海産物塊７が上記漁船４の手前で、上記可動羽根１９の先端に当たって崩壊してしまい、海産物６が海中に落下して回収できないことになる。
【００２７】
次に、この第１の実施の形態による海産物巻揚装置１の効果について説明する。
まず、海産物回収用ドラム３の羽根１５には、固定羽根１７と可動羽根１９があり、上記固定羽根１７に対して上記可動羽根１９が放射方向に移動可能となっているので、上記羽根１５同士の先端間の距離を変えることができる。これにより、上記羽根１５同士の先端間の距離をロープ９上の海産物塊７間の距離に合わせることができ、上記海産物塊７を確実に上記羽根１５で掬い上げて効率よく回収することができる。
また、上記固定羽根１７には長孔２１が形成されていて、上記可動羽根１９はボルト２５を上記可動羽根１９の貫通孔と上記長孔２１を通してナット２３を螺合することにより上記固定羽根１７に固定されているので、簡易な構成により上記可動羽根１９を上記固定羽根１７に対して放射方向に移動可能とすることができる。
【００２８】
また、上記可動羽根１９の回収方向側の面（図３中右側の面）の基端側（図３中下側）には一対の海産物保持突起３１、３１が設けられているので、確実に上記海産物塊７を上記海産物回収用ドラム３に保持できる。また、上記海産物塊７が上記海産物回収用ドラム３の図３中上側に来た時に上記海産物保持突起３１、３１によって上記海産物塊７を崩して、確実に上記海産物６を漁船４上で回収することができる。
また、上記可動羽根１９の先端側は回収方向（図３中右側）に湾曲されて海産物掬上部２７が形成されているので、上記羽根１５によって確実に上記海産物塊７を掬い上げることができる。
また、上記羽根１５には溝３３、３５が形成されているので、上記海産物塊７を上記海産物回収用ドラム３によって保持する際に上記ロープ９が上記溝３３、３５を通るようになり、それによって、海産物塊７を放射方向内側に位置させることができ、上記海産物塊７を確実に保持することができる。
【００２９】
次に、図７を参照して本発明の第２の実施の形態について説明する。
前記第１の実施の形態の場合にはロープ９を作業員が引っ張るようにした例を挙げて説明したが、この第２の実施の形態の場合には、前記第１の実施の形態にはあった油圧モータ５がなく、ロープ巻き上げ機１０３によってロープ９を巻き上げるようにしている。
【００３０】
上記ロープ巻き上げ機１０３はロープ巻揚げドラム１０５とこのロープ巻揚げドラム１０５を回転駆動する図示しない油圧モータとから構成されている。また、上記ロープ巻き上げドラム１０５の手前には海産物塊剥離ローラ１０７、１０７が回転可能に設置されている。上記ロープ９はこれら海産物塊剥離ローラ１０７、１０７間を通って上記ロープ巻揚げドラム１０５に巻きあげられる。
なお、その他の構成は前記第１の実施の形態の場合と同じであり、図中同一部分には同じ符号を付して示しその説明を省略する。
【００３１】
次に、この第２の実施の形態による作用・効果について説明する。
海産物回収用ドラム３と巻き上げ機１０３の巻揚げドラム１０５を回転・駆動させ、ロープ９を漁船４上に引き上げる。
このとき、上記ロープ９に付着した海産物塊７は上記ローラ１０７、１０７によって上記ローラ１０７、１０７の前方側（図７中左側）で崩され、海産物６が上記漁船４上の上記ローラ１０７、１０７下側にて回収される。
なお、前記した第１の実施の形態の場合と同様、一部の上記海産物塊７は上記海産物回収用ドラム３の突起３１によっても崩され、上記漁船４上の上記海産物回収用ドラム３下側でも回収される。
この第２の実施の形態の場合も、前記した第１の実施の形態の場合と同様の効果を奏する。
【００３２】
なお、本発明は、前記第１の実施の形態及び第２の実施の形態に限定されるものではない。
羽根の数、海産物回収用ドラムの大きさ、突起の形状には様々な場合が考えられる。
可動羽根側に長孔が設けられる場合も考えられる。
その他、図示した構成はあくまで一例である。
【産業上の利用可能性】
【００３３】
本発明は、例えば、紐体に付着した養殖牡蠣等の海産物を回収する際に用いる海産物回収用ドラムに係り、特に、ドラム本体に取り付けられた羽根を固定羽根と可動羽根から構成し、ロープに取り付けられた海産物塊のピッチに応じて可動羽根の位置を調整し、それによって、海産物を海に落下させることなく確実に回収することができるように工夫したものに関し、例えば、養殖牡蠣の巻揚装置に好適である。
【符号の説明】
【００３４】
３  海産物回収用ドラム
６  海産物
７  海産物塊（海産物が集合したもの）
９  ロープ（紐体）
１１  ドラム本体
１５  羽根
１７  固定羽根
１９  可動羽根
２１  長孔
２３  ナット
２５  ボルト
２７  海産物掬上部
３１  海産物保持突起
３３  溝
３５  溝
【図１】
2020202780.tif 000003
【図２】
2020202780.tif 000004
【図３】
2020202780.tif 000005
【図４】
2020202780.tif 000006
【図５】
2020202780.tif 000007
【図６】
2020202780.tif 000008
【図７】
2020202780.tif 000009